(57)【要約】【課題】  本発明はプラグインユニットとシェルフの取付構造に係り、プラグインユニットと外線の光ファイバーケーブルを簡単に接続でき、併せて保守、点検時に折損し易い光ファイバーケーブルの抜き忘れを防止した取付構造を提供する。【解決手段】  プラグインユニットのコネクタ近傍のプリント回路板に、コネクタ側にスリットが開口する係止片を取り付け、シェルフの背面に、前記コネクタに対向するコネクタ開口部と前記係止片の挿通孔を形成し、前記シェルフの背面外部に、前記コネクタに光ファイバーケーブルが接続されたコネクタ開口部の開放時に前記係止片のスリットに係止してプラグインユニットをシェルフにロックし、前記コネクタ開口部の閉鎖時に、前記係止片と非係止状態となるロックプレートをスライド可能に取り付けると共に、ロックプレートとシェルフの背面との間に、ロックプレートをコネクタ開口部の開放状態と閉鎖状態とに位置決め固定する位置決め手段を設けた。【選択図】    図７
2012190911.tif 000002
【特許請求の範囲】
【請求項１】
プリント回路板の背面側に、外線の光ファイバーケーブルを接続するコネクタが取り付くプラグインユニットを、シェルフのプラグインユニット挿入口から挿入して当該シェルフに取り付けるプラグインユニットとシェルフの取付構造であって、
前記プラグインユニットのコネクタ近傍のプリント回路板に、コネクタ側にスリットが開口する係止片を取り付け、
前記シェルフの背面に、前記コネクタに対向するコネクタ開口部と前記係止片の挿通孔を形成し、
前記シェルフの背面外部に、前記コネクタに光ファイバーケーブルが接続されたコネクタ開口部の開放時に前記係止片のスリットに係止してプラグインユニットをシェルフにロックし、前記コネクタ開口部の閉鎖時に、前記係止片と非係止状態となるロックプレートをスライド可能に取り付けると共に、
前記ロックプレートとシェルフの背面との間に、当該ロックプレートをコネクタ開口部の開放状態と閉鎖状態とに位置決め固定する位置決め手段を設けたことを特徴とするプラグインユニットとシェルフの取付構造。
【請求項２】
前記ロックプレートは、前記コネクタ開口部から突出するコネクタまたは当該コネクタに接続されるアダプタの突出量に応じ平面視Ｌ字状に折曲されていることを特徴とする請求項１に記載のプラグインユニットとシェルフの取付構造。
【発明の詳細な説明】
【技術分野】
【０００１】
本発明はプラグインユニットとシェルフの取付構造に係り、プラグインユニットと外線の光ファイバーケーブルを簡単に接続でき、併せてプラグインユニットの保守、点検等の際に、折損し易い光ファイバーケーブルの抜き忘れを防止したプラグインユニットとシェルフの取付構造に関する。
【背景技術】
【０００２】
昨今、通信装置の多くは光ファイバーケーブルを使用して信号の送受信を行っているが、通信装置の保守、点検を容易にし、また、通信装置の機能を容易に拡張できるようにするため、電子回路をプラグインユニット化してシェルフに実装するようにシステムが構成されている（特許文献１参照）。プラグインユニットは、プリント回路板と、プリント回路板の前面に取り付く表面板と、プリント回路板の背面側に取り付くコネクタとで構成されている。
【０００３】
また、通信機器に使用する光ファイバーケーブルはコネクタの種類が多く、外線の光ファイバーケーブルを直接通信機器のコネクタに接続できない場合が多い。
【０００４】
そこで、従来、シェルフの背面側にアダプタを装着したバックワイヤボードを配置し、プラグインユニットをシェルフのプラグインユニット挿入口から挿入すると、プラグインユニットの背面側に取り付くコネクタがアダプタに嵌合されて、プラグインユニットがバックワイヤボード（シェルフ）に機械的に接続、固定されるようになっている。そして、シェルフの背面側から外方に突出するアダプタに、外線の光ファイバーケーブルのコネクタが接続されるようになっている。
【先行技術文献】
【特許文献】
【０００５】
【特許文献１】特開２００４−３３５６５０号公報
【発明の概要】
【発明が解決しようとする課題】
【０００６】
しかし、斯様にバックワイヤボードにアダプタを装着し、当該アダプタにプラグインユニット側のコネクタと外線側のコネクタを接続する二重構造は構成が複雑であると共に、アダプタとプラグインユニット側のコネクタとの位置合わせが難しいのが実情であった。
【０００７】
そして、実装するプラグインユニットが高密度になるに従い、コネクタは少ない面積で多数の接続ピンを配置するため、接続ピンの径が細くなる。このため、接続ピンの径が細くなるにつれて強度が低下し、アダプタとプラグインユニット側のコネクタとの位置合わせが上手くいかず、コネクタの嵌合寸法がずれてしまうと接続ピンを変形させてしまう虞があった。
【０００８】
本発明は斯かる実情に鑑み案出されたもので、前記バックワイヤボードを用いた二重構造に代え、プラグインユニットと外線の光ファイバーケーブルを簡単に接続でき、併せて保守、点検等でプラグインユニットをシェルフから抜き出す際に、折損し易い光ファイバーケーブルの抜き忘れを防止したプラグインユニットとシェルフの取付構造を提供することを目的とする。
【課題を解決するための手段】
【０００９】
斯かる目的を達成するため、本発明は、プリント回路板の背面側に、外線の光ファイバーケーブルを接続するコネクタが取り付くプラグインユニットを、シェルフのプラグインユニット挿入口から挿入して当該シェルフに取り付けるプラグインユニットとシェルフの取付構造であって、前記プラグインユニットのコネクタ近傍のプリント回路板に、コネクタ側にスリットが開口する係止片を取り付け、前記シェルフの背面に、前記コネクタに対向するコネクタ開口部と前記係止片の挿通孔を形成し、前記シェルフの背面外部に、前記コネクタに光ファイバーケーブルが接続されたコネクタ開口部の開放時に前記係止片のスリットに係止してプラグインユニットをシェルフにロックし、前記コネクタ開口部の閉鎖時に、前記係止片と非係止状態となるロックプレートをスライド可能に取り付けると共に、前記ロックプレートとシェルフの背面との間に、当該ロックプレートをコネクタ開口部の開放状態と閉鎖状態とに位置決め固定する位置決め手段を設けたことを特徴とする。
【発明の効果】
【００１０】
本発明によれば、プラグインユニットをシェルフ内に挿入させると、プラグインユニットのコネクタがシェルフの背面から外部に突出する構成としたので、バックワイヤボードを用いた従来の二重構造に比し、簡単な作業でプラグインユニットに光ファイバーケーブルを接続することができ、コネクタの嵌合寸法がずれて接続ピンを変形してしまうといった従来の不具合を解消することが可能となった。
【００１１】
また、本発明は、ロックプレートをスライドさせなければ光ファイバーケーブルをコネクタに接続できず、スライドさせると瞬時にロックがかかるように構成したため、極めて簡単な操作且つ簡単な構成でシェルフに対するプラグインユニットのロックができる利点を有する。
【００１２】
更にまた、光ファイバーケーブルがコネクタに接続されているとき、光ファイバーケーブルを引き抜かなければプラグインユニットのロック解除ができないため、プラグインユニットの保守、点検の際に光ファイバーケーブルの抜き忘れがなくなり、光ファイバーケーブルの折損を防止することができる利点を有する。
【図面の簡単な説明】
【００１３】
【図１】本発明の一実施形態に係る取付構造に用いるプラグインユニットの平面図である。
【図２】シェルフの背面側からの全体斜視図である。
【図３】シェルフの背面側からの全体斜視図である。
【図４】コネクタ開口部の閉鎖状態に於けるシェルフの背面側の要部拡大平面図である。
【図５】コネクタ開口部の閉鎖状態に於けるシェルフの背面側の要部拡大背面図である。
【図６】コネクタ開口部の開放状態に於けるシェルフの背面側の要部拡大平面図である。
【図７】コネクタ開口部の開放状態に於けるシェルフの背面側の要部拡大背面図である。
【発明を実施するための形態】
【００１４】
以下、本発明の実施形態を図面に基づいて詳細に説明する。
【００１５】
図１乃至図７は本発明に係るプラグインユニットとシェルフの取付構造の一実施形態を示し、図１に於て、１はプリント回路板３と、プリント回路板３の前面に取り付く表面板５と、プリント回路板３の背面の右側に取り付くコネクタ７とからなるプラグインユニットで、図１及び図２に示すようにコネクタ７に、送受信用の２本の光ファイバーケーブル９、１１のコネクタ１３、１５を接続させる２つのアダプタ１７、１９が挿着されている。
【００１６】
図２はプラグインユニット１を挿入、実装する通信装置のシェルフを示し、シェルフ２１の正面側、即ち、プラグインユニット挿入口側の左右側面２３、２５に、平面視Ｌ字状に形成された取付フランジ２７、２９が固着されており、当該取付フランジ２７、２９を介してシェルフ２１がラック（図示せず）に固定されるようになっている。
【００１７】
一方、図１に示すようにプラグインユニット１の表面板５の左右には、周知のつまみねじ３１が取り付く平板状の取付フランジ３３、３５が設けられており、プラグインユニット１をシェルフ２１に挿入して、つまみねじ３１をシェルフ２１の正面側に設けた左右のねじ穴（図示せず）に螺着すると、表面板５がシェルフ２１に固定されるようになっている。また、図１に示すようにプラグインユニット１のコネクタ７近傍のプリント回路板３に、コネクタ７側にスリット３９が開口した１枚の平板状の係止片４１が固着されており、当該係止片４１はプリント回路板３の後方に突出している。
【００１８】
図２乃至図７に示すようにシェルフ２１の背面４３は右側の背面４３ａが平面視Ｌ字状に凹んだ形状とされており、当該背面４３ａに、前記コネクタ７に対向してコネクタ開口部４５が形成されると共に、前記係止片４１の挿通孔４７が形成されている。そして、既述したようにプラグインユニット１をシェルフ２１内に挿入して表面板５をシェルフ２１に固定すると、コネクタ７とアダプタ１７、１９がコネクタ開口部４５を挿着して背面４３ａの外部に突出し、また、前記係止片４１が挿通孔４７を挿通して、スリット３９が背面４３ａの外部に露出するようになっている。
【００１９】
そして、シェルフ２１の背面４３ａの外側に、前記コネクタ開口部４５を開閉する１枚のロックプレート４９が、シェルフ２１の左右方向へスライド可能に取り付けられている。
【００２０】
図２乃至図７に示すようにロックプレート４９は、前記コネクタ開口部４５から外部に突出するコネクタ７とアダプタ１７、１９の突出量（図４中、寸法Ｌ）に応じて、一端側４９ａが、当該突出量Ｌより長い折曲量（図４中、寸法Ｍ）で平面視略Ｚ字状に折曲された１枚の板材で形成されている。そして、背面４３ａに当接する部位のロックプレート４９に、２つの長穴からなる水平なガイド穴５１が上下に形成されると共に、両ガイド穴５１を挿通して背面４３ａにねじ５３が螺着されており、ねじ５３の頭部５５に係合するガイド穴５１に沿って、ロックプレート４９がシェルフ２１の左右方向へスライドできるようになっている。
【００２１】
また、ロックプレート４９の他端側４９ｂの中央には、前記挿通孔４７から突出する係止片４１のスリット３９に係止可能なスリット５７が設けられており、図３乃至図５に示すように係止片４１のスリット３９とロックプレート４９のスリット５７が非係止状態にあるとき、ロックプレート４９の一端側４９ａがコネクタ開口部４５を閉鎖するようになっている。
【００２２】
従って、このコネクタ開口部４５の閉鎖状態でアダプタ１７、１９はロックプレート４９の一端側４９ａで覆われ、アダプタ１７、１９に光ファイバーケーブル９、１１を接続することができない。
【００２３】
そして、斯かる状態で、図２、図６及び図７に示すようにロックプレート４９を矢印Ａ方向へスライドさせると、ロックプレート４９のスリット５７が係止片４１のスリット３９に係止して、ロックプレート４９によってプラグインユニット１がシェルフ２１にロックされ、このとき、ロックプレート４９の一端側４９ａがコネクタ開口部４５を開放して、アダプタ１７、１９が外部に露出するようになっている（コネクタ開口部４５の開放状態）。
【００２４】
従って、斯様にアダプタ１７、１９が露出することで、アダプタ１７、１９に光ファイバーケーブル９、１１を接続することができる。また、このとき、ロックプレート４９を介してプラグインユニット１がシェルフ２１にロックされているため、保守、点検の際に、光ファイバーケーブル９、１１がコネクタ７に接続されたままプラグインユニット１をシェルフ２１から引き抜くことができず、光ファイバーケーブル９、１１を引き抜かなければプラグインユニット１のロック解除ができない。
【００２５】
更に、前記ロックプレート４９を、図５に示すコネクタ開口部４５の閉鎖状態と、図７に示すコネクタ開口部４５の開放状態とに位置決め固定する位置決め手段として、図５及び図７に示すようにロックプレート４９の他端側４９ｂの上部につまみねじ５９が装着され、当該つまみねじ５９の移動軌跡に沿ってシェルフ２１の背面４３ａ側に２つのねじ穴６１、６３が左右に離間して設けられている。
【００２６】
そして、図５の如く係止片４１のスリット３９とロックプレート４９のスリット５７の非係止状態でつまみねじ５９をねじ穴６１に螺着すると、ロックプレート４９がコネクタ開口部４５を閉鎖した状態で位置決め固定され、また、図７の如く係止片４１のスリット３９とロックプレート４９のスリット５７の係止状態でつまみねじ５９をねじ穴６３に螺着すると、ロックプレート４９がコネクタ開口部４５を開放した状態で位置決め固定されるようになっている。
【００２７】
本実施形態はこのように構成されているから、プラグインユニット１をシェルフ２１内に挿入して表面板５をシェルフ２１に固定すると、コネクタ７とアダプタ１７、１９がコネクタ開口部４５を挿着して背面４３ａの外部に突出すると共に、係止片４１が挿通孔４７を挿通してスリット３９が背面４３ａの外部に露出する。
【００２８】
尚、このとき、ロックプレート４９を図６、図７の位置に固定しておくと、係止片４７がロックプレート４９に当接して係止片４７を挿通孔４７から外部に突出させることができないため、プラグインユニット１の挿入時は、ロックプレート４９を図４、図５の位置（コネクタ開口部４５の閉鎖状態）に固定しておく必要がある。これにより、図４及び図５に示すようにコネクタ開口部４５から外部に突出したアダプタ１７、１９は、ロックプレート４９の一端側４９ａで覆われることとなる。
【００２９】
そして、この状態では、ロックプレート４９をスライドさせなければ光ファイバーケーブル９、１１をコネクタ７に接続できないため、図２、図６及び図７の如くロックプレート４９を矢印Ａ方向へスライドさせると、ロックプレート４９のスリット５７が係止片４１のスリット３９に係止して、プラグインユニット１がシェルフ２１に瞬時にロックされる。このとき、ロックプレート４９の一端側４９ａがコネクタ開口部４５を開放してアダプタ１７、１９が露出する。
【００３０】
従って、背面４３ａから露出するアダプタ１７、１９に光ファイバーケーブル９、１１を容易に接続させることができる。また、図６及び図７に示すコネクタ開口部４５の開放状態では、ロックプレート４９を介してプラグインユニット１がシェルフ２１にロックされているため、光ファイバーケーブル９、１１を引き抜かなければロックプレート４９を移動してプラグインユニット１のロック解除ができないこととなる。
【００３１】
このように本実施形態は、プラグインユニット１をシェルフ２１内に挿入させると、プラグインユニット１のコネクタ７とアダプタ１７、１９がシェルフ２１の背面４３ａから外部に突出する構成としたので、バックワイヤボードを用いた従来の二重構造に比し、簡単な作業でプラグインユニット１に光ファイバーケーブル９、１１を接続することができると共に、コネクタの嵌合寸法がずれて接続ピンを変形してしまうといった従来の不具合を解消することが可能となった。
【００３２】
また、本実施形態は、ロックプレート４９をスライドさせなければ光ファイバーケーブル９、１１をアダプタ１７、１９に接続できず、スライドさせると瞬時にロックがかかるように構成したため、極めて簡単な操作且つ簡単な構成でシェルフ２１に対するプラグインユニット１のロックができる利点を有する。
【００３３】
更にまた、本実施形態によれば、図６の如く光ファイバーケーブル９、１１が接続されているとき、光ファイバーケーブル９、１１を引き抜かなければプラグインユニット１のロック解除ができないため、プラグインユニット１の保守、点検の際に光ファイバーケーブル９、１１の抜き忘れがなくなり、光ファイバーケーブル９、１１の折損を防止することができる利点を有する。
【００３４】
そして、本実施形態は、コネクタ開口部４５から外部に突出するコネクタ７とアダプタ１７、１９の突出量Ｌに応じてロックプレート４９の一端側４９ａを当該突出量Ｌより長い折曲量Ｍで折曲してアダプタ１７、１９を覆ったため、簡単な構造でこれらを保護することができると共に、仕様に応じてロックプレート４９の折曲量Ｍを調整することであらゆる仕様に対応することができる。そして、例えばコネクタがシェルフの背面側から突出しない構造の場合、ロックプレートは平坦な構成とすればよく、斯かる実施形態によっても、前記実施形態と同様、所期の目的を達成することが可能である。
【００３５】
また、前記実施形態では、ロックプレート４９の位置決め固定手段として、表面板５の固定に用いるつまみねじ３１と同様のつまみねじ５９を用いてコストの削減を図ったが、ロックプレート４９の位置決め固定手段は斯かる構造に限定されるものではない。
【符号の説明】
【００３６】
１  プラグインユニット
３  プリント回路板
５  表面板
７、１３、１５  コネクタ
９、１１  光ファイバーケーブル
１７、１９  アダプタ
２１  シェルフ
２７、２９、３３、３５  取付フランジ
３１、５９  つまみねじ
３９、５７  スリット
４１  係止片
４３ａ  シェルフの右側の背面
４５  コネクタ開口部
４７  係止片の挿通孔
４９  ロックプレート
５１  ガイド穴
５３  ねじ
５５  ねじの頭部
６１、６３  ねじ穴
【図１】
2012190911.tif 000003
【図２】
2012190911.tif 000004
【図３】
2012190911.tif 000005
【図４】
2012190911.tif 000006
【図５】
2012190911.tif 000007
【図６】
2012190911.tif 000008
【図７】
2012190911.tif 000009